(57)【要約】【課題】  キーボードの収納及び取り出しについて、キーボードの本体に傷をつけず簡便に実行でき、収納時は目立たなくすることが可能な情報処理装置を提供する。【解決手段】  情報処理装置本体２とキーボード３とを具備する情報処理装置を用いる。情報処理装置本体２は、情報処理機能を備える。キーボード３は、情報処理装置本体２への入力を無線通信で行う。情報処理装置本体２は、外側へ向かう開口部を有するキーボード３を格納可能な第１空間Ｓ１を有する。第１空間Ｓ１における開口部から見て奥側の側面を形成し、キーボード３の第１空間Ｓ１への出入りにより、その出入りに対応した位置に移動される内奥側面部材２５を備える。内奥側面部材２５は、キーボード３が第１空間Ｓ１における所定の位置よりも奥へ押込まれたとき、キーボード３を固定する固定部２６を含む。【選択図】      図１１
2005316829.tif 000002
【特許請求の範囲】
【請求項１】
情報処理機能を備える情報処理装置本体と、
前記情報処理装置本体への入力を無線通信で行うキーボードと
を具備し、
前記情報処理装置本体は、
外側へ向かう開口部を有する前記キーボードを収納可能な第１空間を有し、
前記第１空間における前記開口部から見て奥側の側面を形成し、前記キーボードの前記第１空間への出入りにより、前記出入りに対応した位置に移動される内奥側面部材を備え、
前記内奥側面部材は、
前記キーボードが前記第１空間における所定の位置よりも奥へ押込まれたとき、前記キーボードを固定する固定部を含む
情報処理装置。
【請求項２】
情報処理機能を備える情報処理装置本体と、
前記情報処理装置本体への入力を無線通信で行うキーボードと
を具備し、
前記情報処理装置本体は、
外側へ向かう開口部を有する前記キーボードを収納可能な第１空間を有し、
前記第１空間の一つの側面を形成する第１内側面部材と、
前記第１空間の前記第１内側面部材に対向する側面を形成する第２内側面部材と
を備え、
前記第１内側面部材は、
前記第１空間側の側面に沿って設けられ、弾性体により保持され、回転可能な複数の第１回転体を含み、
前記第２内側面部材は、
前記第１空間側の側面に沿って設けられ、弾性体により保持され、回転可能な複数の第２回転体を含み、
前記キーボードは、前記第１空間の前記第１内側面部材と前記第２内側面部材との間に押込まれるとき、前記第１回転体と前記第２回転体とにガイドされる
情報処理装置。
【請求項３】
請求項２に記載の情報処理装置において、
前記第１内側面部材は、
前記第１空間側に張り出した第１内側面補助部材を更に備え、
前記第２内側面部材は、
前記第１空間側に張り出した第２内側面補助部材を更に備え、
前記キーボードは、前記第１空間の前記上面部材の下に押込まれるとき、一方の側が前記第１内側面補助部材上を滑り、他方の側が前記第２内側面補助部材上を滑る
情報処理装置。
【請求項４】
請求項３に記載の情報処理装置において、
前記第１内側面補助部材は、前記開口部側に第１テーパを有し、
前記第２内側面補助部材は、前記開口部側に第２テーパを有し、
前記キーボードは、
前記第１空間の前記上面部材の下に押込まれるときの前記第１内側面補助部材の側の下方に、前記第１テーパに対応するように設けられた第３テーパと、
前記第１空間の前記上面部材の下に押込まれるときの前記第２内側面補助部材の側の下方に、前記第２テーパに対応するように設けられた第４テーパと
を有し、
前記キーボードは、一方の側が前記第３テーパで前記第１テーパに乗り上げて前記第１内側面補助部材上を滑り、他方の側が前記第４テーパで前記第２テーパに乗り上げて前記第２内側面補助部材上を滑る
情報処理装置。
【請求項５】
情報処理機能を備える情報処理装置本体と、
前記情報処理装置本体への入力を無線通信で行うキーボードと
を具備し、
前記情報処理装置本体は、
外側へ向かう開口部を有する前記キーボードを収納可能な第１空間を有し、
前記第１空間の上面を形成する上面部材を備え、
前記上面部材は、前記開口部の近傍に前記第１空間へ露出した第１保護部材を含み、
前記キーボードは、前記第１空間の前記上面部材の下に押込まれるとき、前記上面部材への接触を前記第１保護部材により保護される
情報処理装置。
【請求項６】
情報処理機能を備える情報処理装置本体と、
前記情報処理装置本体への入力を無線通信で行うキーボードと
を具備し、
前記情報処理装置本体は、
外側へ向かう開口部を有する前記キーボードを収納可能な第１空間を有し、
前記第１空間の上面を形成する上面部材を備え、
前記キーボードは、
キー側の表面に、前記キーの高さよりも高い複数の第２保護部材を含み、
前記キーボードは、前記第１空間の前記上面部材の下に押込まれるとき、前記上面部材への接触を前記第２保護部材により保護される
情報処理装置。
【請求項７】
情報処理機能を備える情報処理装置本体と、
前記情報処理装置本体への入力を無線通信で行うキーボードと
を具備し、
前記情報処理装置本体は、
外側へ向かう開口部を有する前記キーボードを収納可能な第１空間を有し、
前記第１空間の上面を形成する上面部材を備え、
前記上面部材は、所定の硬さを有する金属板を含む
情報処理装置。
【請求項８】
情報処理機能を備える情報処理装置本体と、
前記情報処理装置本体への入力を無線通信で行うキーボードと
を具備し、
前記情報処理装置本体は、
外側へ向かう開口部を有する前記キーボードを収納可能な第１空間を有し、
前記第１空間における前記開口部から見て奥側の側面を形成し、前記キーボードの前記第１空間への出入りにより、前記出入りに対応した位置に移動され、第２スイッチ部材を含む内奥側面部材と、
前記内奥側面部材を移動可能に保持し、第１スイッチ部材を含む移動保持部と
を備え、
前記第１スイッチ部材と前記第２スイッチ部材とは、オルタネイト動作を行う動作スイッチを構成し、前記動作スイッチは、前記キーボードが前記第１空間へ押込まれ前記内奥側面部材が押されることに基づいて、前記内奥側面部材をオルタネイト動作させる
情報処理装置。
【請求項９】
請求項８に記載の情報処理装置において、
前記情報処理装置本体は、
前記内奥側面部材のオルタネイト動作に基づいて、前記キーボードが前記第１空間に押込まれたか否かを示す検出信号を出力する検出部を更に備える
情報処理装置。
【請求項１０】
請求項９に記載の情報処理装置において、
前記情報処理装置本体は、
前記検出信号と前記情報処理装置本体において動作可能な複数の機能とを関連付けた機能テーブルと、
前記検出信号に基づいて、前記機能テーブルを参照して、前記検出信号に対応する機能の動作を指示する信号を出力する選択機能実行部を更に具備する
情報処理装置。
【発明の詳細な説明】
【技術分野】
【０００１】
本発明は、情報処理装置に関し、特に取り扱い易さを改善する関する。
【背景技術】
【０００２】
近年、情報処理だけでなく、ＴＶ（ｔｅｌｅｖｉｓｉｏｎ）やＤＶＤ（Ｄｉｇｉｔａｌ  Ｖｅｒｓａｔｉｌｅ  Ｄｉｓｃ）の視聴が可能なパーソナルコンピュータ（以下、「ＰＣ」と記す）が知られている。このようなＰＣでは、ＴＶやＤＶＤの視聴に際して、キーボードを用いる必要はほとんどない。加えて、キーボードの大きさはＰＣ本体の大きさと比較しても小さくない。そのため、ＰＣをＴＶやＤＶＤの視聴に使用する際、ＰＣを使用しているにもかかわらず、キーボードを一時的に収納できる技術が望まれている。
【０００３】
関連する技術として、特開２００１−１２５６７１号公報にキーボード収納型コンピュータの技術が開示されている。このコンピュータは、ディスプレイとコンピュータ本体とが一体型になっているデスクトップ型コンピュータである。ディスプレイの下と該コンピュータが設置される机の表面との間に、かつ、該コンピュータの外周空間内に収まるようにキーボードの一部を直接机に設置した状態から収納可能にしたことを特徴とする。
【０００４】
関連する技術として、特開平３−２２５４０４号公報にパーソナルコンピュータの技術が開示されている。このコンピュータは、キーボードを含む本体にヒンジ機構を介してディスプレイデバイスが回転自在に取り付けられている携帯型パーソナルコンピュータである。キーボードと、通知する手段と、電源オフ信号を供給する手段と、動作を継続実行する手段とを具備することを特徴とする。キーボードは、本体に収納／引出し可能に設けられている。通知する手段は、このキーボードの収納／引出し状態を上記本体に設けられたＣＰＵへ通知する。電源オフ信号を供給する手段は、上記キーボードの収納状態時にそれまで実行していたプログラムの状態情報を退避した後で、上記本体に設けられた電源ユニットに対して電源オフ信号を供給する。継続実行する手段は、上記キーボードが引き出し状態にあるとき、上記本体の電源を投入し、上記プログラムの状態情報を復元して動作を継続実行する。
【０００５】
【特許文献１】特開２００１−１２５６７１号公報
【特許文献２】特開平３−２２５４０４号公報
【発明の開示】
【発明が解決しようとする課題】
【０００６】
従って、本発明の目的は、パーソナルコンピュータのような情報処理装置をＴＶやＤＶＤの視聴に使用する際、キーボードを一時的に容易に収納し、目立たなくして視聴することが出来、容易に取り出すことが可能な情報処理装置を提供することにある。
【０００７】
また、本発明の他の目的は、キーボードの収納及び取り出し時において、キーボードの本体に傷をつけることがない情報処理装置を提供することにある。
【０００８】
本発明の更に他の目的は、キーボードの収納及び取り出し操作により、情報処理装置本体の動作の制御を行うことが可能な情報処理装置を提供することにある。
【課題を解決するための手段】
【０００９】
以下に、発明を実施するための最良の形態で使用される番号・符号を用いて、課題を解決するための手段を説明する。これらの番号・符号は、特許請求の範囲の記載と発明を実施するための最良の形態との対応関係を明らかにするために括弧付きで付加されたものである。ただし、それらの番号・符号を、特許請求の範囲に記載されている発明の技術的範囲の解釈に用いてはならない。
【００１０】
従って、上記課題を解決するために、本発明の情報処理装置は、情報処理装置本体（２）と、キーボード（３）とを具備する。情報処理装置本体（２）は、情報処理機能を備える。キーボード（３）は、情報処理装置本体（２）への入力を無線通信で行う。
情報処理装置本体（２）は、外側に向かう開口部（Ｐ１）を有するキーボード（３）を収納可能な第１空間（Ｓ１）を有する。第１空間（Ｓ１）における開口部（Ｐ１）から見て奥側の側面を形成し、キーボード（３）の第１空間（Ｓ１）への出入りにより、その出入りに対応した位置に移動される内奥側面部材（２５）を備える。内奥側面部材（２５）は、キーボード（３）が第１空間（Ｓ１）における所定の位置よりも奥へ押込まれたとき、キーボード（３）を固定する固定部（２６）を含む。
本発明により、キーボード（３）が第１空間（Ｓ１）に挿入されたとき、キーボード（３）からの力を内奥側面部材（２５）の面で受けていること、キーボード（３）に押されて内奥側面部材（２５）が移動して衝撃を吸収すること、によりキーボード（３）に傷がつかない。加えて、収容されたキーボード（３）が固定部（２６）により固定されているので、情報処理装置を移動する際、キーボード（３）と一体で容易に移動できる。
【００１１】
上記課題を解決するために、本発明の情報処理装置は、情報処理装置本体（２）と、キーボード（３）とを具備する。情報処理装置本体（２）は、情報処理機能を備える。キーボード（３）は、情報処理装置本体（２）への入力を無線通信で行う。
情報処理装置本体（２）は、外側に向かう開口部（Ｐ１）を有するキーボード（３）を収納可能な第１空間（Ｓ１）を有する。第１内側面部材（２７）と、第２内側面部材（２７）とを備える。第１内側面部材（２７）は、第１空間（Ｓ１）の一つの側面を形成する。第２内側面部材（２７）は、第１空間（Ｓ１）の第１内側面部材（２１）に対向する側面を形成する。第１内側面部材（２７）は、第１空間（Ｓ１）側の側面に沿って設けられ、弾性体（２４ｂ）により保持され、回転可能な複数の第１回転体（２４ａ）を含む。第２内側面部材（２７）は、第１空間（Ｓ１）側の側面に沿って設けられ、弾性体（２４ｂ）により保持され、回転可能な複数の第２回転体（２４ａ）を含む。キーボード（３）は、第１空間（Ｓ１）の第１内側面部材（２７）と第２内側面部材（２７）との間に押込まれるとき、第１回転体（２４ａ）と第２回転体（２４ａ）とにガイドされる。
本発明により、キーボード（３）は、弾性的に動作可能な回転体（２４）にガイドされるので、多少挿入方向／取り出し方向がずれていても正しく挿入する／取り出すことができる。また、その回転体（２４）の回転により、キーボード（３）と第１内側面部材（２７）及び第２内側面部材（２７）との摩擦を少なくできる。それにより、キーボード（３）の磨耗や傷が無くなり、滑らかで容易な挿入（片手で挿入）／取り出しが可能となる。
【００１２】
上記の情報処理装置において、第１内側面部材（２７）は、第１空間（Ｓ１）側に張り出した第１内側面補助部材（２１）を更に備える。第２内側面部材（２７）は、第１空間（Ｓ１）側に張り出した第２内側面補助部材（２１）を更に備える。キーボード（３）は、第１空間（Ｓ１）の上面部材（２９）の下に押込まれるとき、一方の側が第１内側面補助部材（２１）を滑り、他方の側が第２内側面補助部材（２１）を滑る。
本発明により、キーボード（３）の側部が第１内側面補助部材（２１）及び第２内側面補助部材（２１）上を滑るので、滑らかで容易な挿入（片手で挿入）／取り出しが可能となる。
【００１３】
上記の情報処理装置において、第１内側面補助部材（２１）は、開口部（Ｐ１）側に第１テーパ（２２）を有する。第２内側面補助部材（２１）は、開口部（Ｐ１）側に第２テーパ（２２）を有する。キーボード（３）は、第１空間（Ｓ１）の上面部材（２９）の下に押込まれるときの第１内側面補助部材（２１）の側の下方に、第１テーパ（２２）に対応するように設けられた第３テーパ（１２）と、第１空間（Ｓ１）の上面部材（２９）の下に押込まれるときの第２内側面補助部材（２１）の側の下方に、第２テーパ（２２に対応するように設けられた第４テーパ（１２）とを有する。キーボード（３）は、第１空間（Ｓ１）の上面部材（２９）の下に押込まれるとき、一方の側が第３テーパ（１２）で第１テーパ（２２）に乗り上げて第１内側面補助部材（２１）上を滑り、他方の側が第４テーパ（１２）で第２テーパ（２２）に乗り上げて第２内側面補助部材（２１）上を滑る。
本発明により、所定の角度を有する第３テーパ（１２）及び第４テーパ（１２）により、キーボード（３）が対応する所定の角度を有する第１テーパ（２２）及び第２テーパ（２２）に乗り上げるので、滑らかで容易な挿入（片手で挿入）／取り出しが可能となる。
【００１４】
上記課題を解決するために、本発明の情報処理装置は、情報処理装置本体（２）と、キーボード（３）とを具備する。情報処理装置本体（２）は、情報処理機能を備える。キーボード（３）は、情報処理装置本体（２）への入力を無線通信で行う。
情報処理装置本体（２）は、外側に向かう開口部（Ｐ１）を有するキーボード（３）を収納可能な第１空間（Ｓ１）を有する。第１空間（Ｓ１）の上面を形成する上面部材（２９）を更に備える。上面部材（２９）は、開口部（Ｐ１）の近傍に第１空間（Ｓ１）へ露出した第１保護部材（２３）を含む。キーボード（３）は、第１空間（Ｓ１）の上面部材（２９）の下に押込まれるとき、上面部材（２９）への接触を第１保護部材（２３）により保護される。
本発明により、キーボード（３）は、第１保護部材（２３）により保護されるので、多少挿入方向／取り出し方向がずれていても開口部（Ｐ１）近傍でキーボード（３）に傷がつくことを防止できる。
【００１５】
上記課題を解決するために、本発明の情報処理装置は、情報処理装置本体（２）と、キーボード（３）とを具備する。情報処理装置本体（２）は、情報処理機能を備える。キーボード（３）は、情報処理装置本体（２）への入力を無線通信で行う。
情報処理装置本体（２）は、外側に向かう開口部（Ｐ１）を有するキーボード（３）を収納可能な第１空間（Ｓ１）を有する。第１空間（Ｓ１）の上面を形成する上面部材（２９）を更に備える。キーボード（３）は、キー側の表面に、そのキーの高さよりも高い複数の第２保護部材（１１）を含む。キーボード（３）は、第１空間（Ｓ１）の上面部材（２９）の下に押込まれるとき、上面部材（２９）への接触を第２保護部材（１１）により保護される。
本発明により、キーボード（３）は、第２保護部材（１１）により保護されるので、多少挿入方向／取り出し方向がずれていてもキーボード（３）表面のキー部分に傷がつくことを防止できる。
【００１６】
上記課題を解決するために、本発明の情報処理装置は、情報処理装置本体（２）と、キーボード（３）とを具備する。情報処理装置本体（２）は、情報処理機能を備える。キーボード（３）は、情報処理装置本体（２）への入力を無線通信で行う。
情報処理装置本体（２）は、外側に向かう開口部（Ｐ１）を有するキーボード（３）を収納可能な第１空間（Ｓ１）を有する。第１空間（Ｓ１）の上面を形成する上面部材（２９）を更に備える。上面部材（２９）は、所定の硬さを有する金属板を含む。
本発明により、横に長いキーボード（３）を収納する第１空間（Ｓ１）が歪んで変形することを防止できる。それにより、第１空間（Ｓ１）の歪みによりキーボード（３）に傷がついたり、キーボード（３）の挿入（収納）／取り出しが困難に成ることを防止することができる。
【００１７】
上記課題を解決するために、本発明の情報処理装置は、情報処理装置本体（２）と、キーボード（３）とを具備する。情報処理装置本体（２）は、情報処理機能を備える。キーボード（３）は、情報処理装置本体（２）への入力を無線通信で行う。
情報処理装置本体（２）は、外側に向かう開口部（Ｐ１）を有するキーボード（３）を収納可能な第１空間（Ｓ１）を有する。第１空間（Ｓ１）における開口部（Ｐ１）から見て奥側の側面を形成し、キーボード（３）の第１空間（Ｓ１）への出入りにより、その出入りに対応した位置に移動される内奥側面部材（２５）を備える。内奥側面部材（２５）を移動可能に保持し、第１スイッチ部材（６１）を含む移動保持部（６４）を更に備える。内奥側面部材（２５）は、更に、第２スイッチ部材（６２）を含む。第１スイッチ部材（６１）と第２スイッチ部材（６３）とは、オルタネイト動作を行う動作スイッチ（６３）を構成する。動作スイッチ（６３）は、キーボード（３）が第１空間（Ｓ１）へ押込まれ内奥側面部材（２５）が押されることに基づいて、内奥側面部材（２５）をオルタネイト動作させる。
本発明により、動作スイッチ（６３）のオルタネート動作により、キーボード（３）の収納及び取り出しの動作を適切に実行することができる。
【００１８】
上記の情報処理装置において、情報処理装置本体（２）は、内奥側面部材（２５）のオルタネイト動作に基づいて、キーボード（３）が第１空間（Ｓ１）に押込まれたか否かを示す検出信号（５５）を出力する検出部（５１）を更に備える。
本発明により、キーボード（３）の収納及び取り出しに基づいて、情報処理装置の動作を制御することが可能となる。
【００１９】
上記の情報処理装置において、情報処理装置本体（２）は、機能テーブル（図示されず）と、選択機能実行部（図示されず）とを更に具備する。機能テーブル（図示されず）は、検出信号（５５）と情報処理装置本体（２）において動作可能な複数の機能とを関連付けている。選択機能実行部（図示されず）は、検出信号（５５）に基づいて、機能テーブル（図示されず）を参照して、検出信号（５５）に対応するその機能の動作を指示する信号を出力する。
本発明により、キーボード（３）の収納及び取り出しに基づいて、所望の動作を情報処理装置において行わせることが可能となる。
【発明の効果】
【００２０】
本発明により、キーボードの収納及び取り出しについて、キーボードの本体に傷をつけず、簡便に実行することが可能となる。そして、ＰＣのような情報処理装置をＴＶやＤＶＤの視聴に使用する際、キーボードを一時的に容易に収納し、目立たなくすることが出来、必要に応じて容易に取り出すことが可能となる。
できる。
【発明を実施するための最良の形態】
【００２１】
以下、本発明の情報処理装置の実施の形態に関して、添付図面を参照して説明する。本実施の形態では、情報処理装置としてのパーソナルコンピュータ（ＰＣ）について説明するが、他の情報処理装置にも適用可能である。
【００２２】
本発明の情報処理装置としてのＰＣの実施の形態について、添付図面を参照して説明する。
まず、本発明のＰＣの実施の形態の構成について説明する。図１は、本発明のＰＣの実施の形態の構成を示す右前方からの外観図であり、図２は、本発明のＰＣの実施の形態の構成を示す左後方からの外観図である。ＰＣ１は、ＰＣ本体２と、キーボード３と、ディスプレイ５とを具備している。ＰＣ本体２は、ＣＤ−ＲＯＭドライブやＤＶＤドライブ、ＦＤディスクドライブ、ＵＳＢポートなどを収めた格納部４と、赤外線受光部８とを備えている。キーボード３は、ＰＣ本体２の下部空間に収納され、必要に応じて取り出せる。ディスプレイ５は、ＰＣ本体２に取り付けられている。
【００２３】
本発明のＰＣは、キーボード３が容易に取り出し／収納可能である。図３（ａ）〜（ｃ）は、本発明のＰＣの実施の形態におけるキーボード３の取り出し（収納）の動作を示す観図である。図３（ａ）のように、ユーザは、キーボード３の手前側の端部とＰＣ１が設置された机の表面との間に形成される空間に片手１００の先を入れ、キーボード３の端部を軽く持ち上げる。図３（ｂ）のように、ユーザは、端部を軽く持ち上げたキーボード３を手前に引き出す。図３（ｃ）のように、ユーザは、所望の位置までキーボード３を引き出して静置する。このとき、後述の各種の構成により引っ掛かりや強い摩擦力が無いので、ユーザはわずかな力で片手１００でキーボード３を手前に引き出すことができる。取り出しと逆の動作を行うことで、同様に、ユーザはわずかな力でキーボード３を収納することができる。
図３（ａ）の状態では、キーボード３は、ＰＣ本体２に固定される。したがって、キーボード３が意に反して出て来たりすることが無く、また、ＰＣ１を移動する際に一体的に取り扱うことができる。
加えて、取り出し／収納の動作に基づいて、ＰＣ１に所望の動作を行わせることができる。
【００２４】
以下、本発明のＰＣの実施の形態の構成について詳細に説明する。
図４は、キーボードの実施の形態の構成を示す外観図である。キーボード３は、保護部材１１と赤外線送信部９とを備えている。
保護部材１１は、キー側の表面の両側に、キーの高さよりも高い凸部を形成するように設けられている。この保護部材１１は、キーボード３がＰＣ本体２の下部空間に収納されるとき、その下部空間の上部にキーがぶつかることを防止し、キーを保護する。保護部材１１は、強度や剛性のある材料が好ましい。加えて、下部空間の上部に擦られることが多いことから耐磨耗性の高い材料が好ましい。例えば、ポリアセタール樹脂（ＰＯＭ：ｐｏｌｙｏｘｙｍｅｔｈｙｌｅｎｅ）である。
赤外線送信部９は、ユーザが入力したキーの信号をＰＣ本体２の赤外線受光部８へ赤外線で送信する。キーボード３は、ケーブルを有する必要がないので、ＰＣ本体２の下部空間に対する取り出し／収納が非常に容易である。
【００２５】
図５は、ＰＣ本体１の実施の形態の一部を示す外観図である。この図では、図１における矢印Ｄ２方向の下側から、キーボード３を取り除いたＰＣ本体２を見ている。下部空間Ｓ１は、ＰＣ本体２が設置される面としての設置面との間に、キーボード３を格納可能に形成されている。下部空間Ｓ１は、ユーザがディスプレイ５を視認できる側に向いた開口部Ｐ１を有する。
【００２６】
ＰＣ本体２は、下部空間Ｓ１周辺において、内側面部材２７、上面部材２９及び内奥側面部材２５を備えている。
【００２７】
内側面部材２７は、下部空間Ｓ１の一つの側面を形成している。複数の回転体２４と内側面補助部材２１とを備える。複数の回転体２４は、下部空間Ｓ１側の側面に沿って設けられ、弾性体により回転可能に保持され、側面と概ね垂直な方向に振動可能である。内側面補助部材２１は、下部空間Ｓ１側に所定の長さだけ張り出している。その上部を、下部空間Ｓ１に挿入されるキーボード３の下側の端部が滑り、キーボード３をその端部で保持する。
この図には示されないが、この内側面部材２７と対向する側にも、同様に、側面を形成する内側面部材２７が設けられている。
【００２８】
キーボード３は、ユーザにより下部空間Ｓ１に格納される（押込まれる）とき、一方の側の内側面部材２７と他方の側の内側面部材２７との間で、それぞれの側の回転体２４にガイドされながら、それぞれの側の内側面補助部材２１の上を滑る。それにより、キーボード３３の両側面や角が下部空間Ｓ１の側面にぶつかったり、こすれたりして押込まれ難くなることや、傷がついたりすることを防止することができる。
【００２９】
上面部材２９は、下部空間Ｓ１の上面（天井）を形成している。上面部材２９は、横長のキーボード３を格納する下部空間Ｓ１の上面の形状がＰＣ本体２の重量で変形しないように、所定の硬度と強度を有する材料で作製されることが好ましい。例えば、ステンレス鋼である。上面部材２９は、保護部材２３を備える。保護部材２３は、開口部Ｐ１の近傍に、下部空間Ｓ１へ露出している。キーボード３が下部空間Ｓ１の上面部材２９の下に押込まれるとき、上面部材２９に接触することを防止し、上面部材２９から保護する。保護部材２３は、その保護ができるように、力を吸収できるような材料で作製されることが好ましい。例えば、ラバーのような弾性体である。それにより、キーボード３に傷がついたり故障が発生することを防止できる。
【００３０】
内奥側面部材２５は、下部空間Ｓ１における開口部Ｐ１から見て奥側の側面を形成している。その更に奥側に固定的に設けられた移動保持部６４に移動可能に保持されている。内奥側面部材２５は、キーボード３が下部空間Ｓ１へ出入りすることにより、出入りに対応した位置に移動される。内奥側面部材２５は、固定部材２６を含む。固定部材２６は、キーボード３が下部空間Ｓ１における所定の位置よりも奥へ押込まれ、内奥側面部材２５がキーボード３に押されたとき、キーボード３を固定する。
【００３１】
図６（ａ）及び（ｂ）は、回転体２４の詳細を示す図である。図６（ａ）は、下部空間Ｓ１側から見た図である。図６（ｂ）は、内側面部材２７の内側から見た図である。回転体２４は、回転体本体２４ａ、板バネ２４ｂ及び回転軸２４ｃを含んでいる。回転体本体２４ａは、回転軸２４ｃの回りを回転可能である。回転体本体２４ａ及び回転軸２４ｃは、下部空間Ｓ１側からキーボード３で押される力により、板バネ２４ｂの弾性で、図に示す矢印Ｄ３方向（内側面部材２７に概ね垂直な方向）に復元可能である。
【００３２】
キーボード３が内側面補助部材２１の上面２０上を滑りながら下部空間Ｓ１に挿入されてきたときの方向や角度で、キーボード３３が下部空間Ｓ１の側面にぶつかったり、こすれたりして押込まれ難くなることや、傷がついたりすることを防止することができる。
【００３３】
図７は、保護部材２３の取り付け状態を示す図である。図１の下部空間Ｓ１の近傍を拡大している。保護部材２３は、下部空間Ｓ１の開口部Ｐ１付近に、格納部４の下部の開口部Ｐ１側を覆うように設けられている。その端部は、格納部４の端部と概ね一致している。キーボード３が下部空間Ｓ１に押込まれるとき、キーボード３に傷がついたり故障が発生することを防止できる。
【００３４】
次に、本発明の情報処理装置の実施の形態の動作について説明する。
図８（ａ）及び（ｂ）、図９（ａ）及び（ｂ）は、本発明の情報処理装置の実施の形態の動作を示す模式図である。これは、ユーザによりキーボード３が下部空間Ｓ１へ挿入される動作を模式的に示している。
【００３５】
図８（ａ）において、ＰＣ本体２は、検出部５１を更に備えている。移動保持部６４は、下部空間Ｓ１の奥において、内奥側面部材２５を移動可能に保持する。
【００３６】
検出部５１は、キーボード３が押込まれること又は取り出されることに伴って、内奥側面部材２５が行うオルタネイト動作を検出する。そのオルタネイト動作に基づいて、キーボード３が下部空間Ｓ１に押込まれたか否かを示す検出信号５５をＰＣ本体２の所定の回路、機器へ出力する。検出部５１は、内奥側面部材２５が行うオルタネイト動作を検出するスイッチ５２を含み、ＰＣ本体２の所定の回路、機器へ検出信号５５を出力する配線５３に接続されている。
【００３７】
内奥側面部材２５は、第２スイッチ部材６２を含んでいる。移動保持部６４は、第１スイッチ部材６１を含んでいる。第１スイッチ部材６１と第２スイッチ部材６３とは、オルタネイト動作（位置保持動作）を行う動作スイッチ６３を構成している。動作スイッチ６３は、キーボード３が下部空間Ｓ１へ押込まれる際に、内奥側面部材２５が押されることにより、第１状態になり、その第１状態が固定される。そして、キーボード３が下部空間Ｓ１から取り出される際に、内奥側面部材２５がもう一度押されることにより、第１状態から第２状態になり、その第２状態が固定される。そのような動作スイッチ６３の動作に基づいて、内奥側面部材２５がオルタネイト動作される。このような動作スイッチとしては、ハート状カム方式の小型スイッチが例示される。
【００３８】
図８（ａ）の状態では、検出部５１のスイッチ５２はＯＦＦである。内奥側面部材２５は、移動保持部６４上の開口部Ｐ１側の端にある。動作スイッチ６３は、第２状態にある。キーボード３は、下部空間Ｓ１の上面部材２９の下に押込まれるときの内側面補助部材２１の側の下方端部に、テーパ１２が設けられている。内側面補助部材２１の開口部Ｐ１側の端部には、テーパ２２が設けられている。テーパ１２は、テーパ２２に対応するように設けられている。ユーザは、キーボード３を開口部Ｐ１から挿入しようとして、キーボード３の手前の下側の端部を片手１００の先で持ち上げる。
【００３９】
図８（ａ）の状態において、キーボード３は図の左側からユーザの片手１００に押されて開口部Ｐ１へ挿入される。このとき、保護部材２３は、キーボード３が上面部材２９に接触することを防止し、キーボード３を上面部材２９から保護する。キーボード３が奥へ進むとき、図に示すようにキーボード３のテーパ１２と内側面補助部材２１のテーパ２２とが重なる。そして、キーボード３は滑らかに内側面補助部材２１上部に乗り上げることができる。それにより、ユーザは軽い力で（片手で）容易にキーボード３を進ませることができる。その状態が図８（ｂ）である。
【００４０】
図８（ｂ）の状態において、ユーザは、キーボード３を片手１００で更に押して下部空間Ｓ１の奥へ進ませる。キーボード３は、一方の側の内側面部材２７と他方の側の内側面部材２７との間で、それぞれの側の回転体２４にガイドされながら、それぞれの側の内側面補助部材２１の上を滑って行く。そして、内奥側面部材２５に達する。そのとき、保護部材１１は、キーボード３のキーが上面部材２９にぶつかることを防止し、キーボード３のキーを保護する。回転体２４は、キーボード３の両側面や角が下部空間Ｓ１の側面にぶつかったり、こすれたりして押込まれ難くなることや、傷がついたりすることを防止する。その状態が図９（ａ）である。
【００４１】
図９（ａ）の状態において、ユーザは、キーボード３を片手１００で更に押して下部空間Ｓ１の奥へ進ませる。内奥側面部材２５は、移動保持部６４に対して弾性体により図９（ａ）の位置にある。キーボード３は、内奥側面部材２５を押しながら更に奥へ進む。それにより、内奥側面部材２５は、弾性体の力に逆らって移動保持部６４上を移動して行く。そして、内奥側面部材２５が所定の位置に達したところで、検出部５１のスイッチ５２がＯＮになり、検出信号５５が配線５３へ出力される。そのとき、動作スイッチ６３は、第２状態から第１状態へ遷移する。それにより、内奥側面部材２５は、下部空間Ｓ１の最も奥から少し戻った地点（動作スイッチ６３の第１状態に対応する位置）で動作スイッチ６３により安定に固定される。この状態が図９（ｂ）である。内奥側面部材２５は、移動保持部６４の弾性体の弾力が、片手１００で押すときに、ユーザの負担にならない程度が望ましい。
【００４２】
ＰＣ１は、選択機能実行部（プログラム：図示されず）と機能テーブル（データ：図示されず）とをＰＣ１のメモリ（図示されず）に備えている。
機能テーブルは、検出信号５５のＯＮ／ＯＦＦと複数の機能とを対応付けている。
選択機能実行部は、ＰＣ１のＣＰＵに展開され、検出信号５５のＯＮ／ＯＦＦに基づいて、機能テーブルを参照して、機能テーブルに予め設定された機能を動作させる指令を出力する。これにより、その機能に関わるプログラムにて、各種機能の中から予め設定された機能を動作させることができる。機能テーブル上の各機能の設定は、所定の入力画面から変更が可能である。
【００４３】
検出信号５５がＯＮの場合、予め設定された機能としては、キーボード３が格納されていることから、ＤＶＤドライバの駆動開始（ＤＶＤの映像や音楽の再生）、ＣＤ−ＲＯＭドライバの駆動開始（ＣＤ−ＲＯＭの映像や音楽の再生）、ＰＣ１の状態を全てメモリに保存してシャットダウン（又はスタンバイ）などに例示される。
検出信号５５がＯＦＦの場合、予め設定された機能としては、ワードプロセッサの開始、インターネットの開始、シャットダウン（又はスタンバイ）のときにメモリに格納された状態の再現、などに例示される。
【００４４】
図１０は、図９（ｂ）の場合でのキーボード３とＰＣ本体２との接触部分を示す図である。キーボード３の端部は、内側面補助部材２１に載せられている。キーボード３の側面は、回転体２４により保護され、内側面部材２７に直接接触し難くなっている。キーボード３のキーは、保護部材１１により保護され、上面部材２９の面２２に直接接触し難くなっている。
【００４５】
図１１（ａ）及び（ｂ）は、図８及び図９の動作の一部をキーボード３の下側から見た様子を示す図である。図１１（ａ）は図８（ｂ）から図９（ａ）へ移行する途中の状態に対応する。図１１（ｂ）は図９（ｂ）の状態に対応する。キーボード３の前方両端部（裏側：図の手前側）には、溝１３が設けられている。内側面部材２７は、案内部材２８を更に備える。
【００４６】
図１１（ａ）の状態において、キーボード３は、内側面補助部材２１上を図における下側に向かって移動している。そして、キーボード３が内奥側面部材２５に接触する位置に達したとき、内奥側面部材２５固定部材２６がキーボード３の溝１３へ挿入される。これにより、キーボード３が内奥側面部材２５に固定される。この状態が図１１（ｂ）である。
【００４７】
図１２（ａ）及び（ｂ）は、図１１における溝１３近傍の様子を示す図である。図１２（ａ）は図１１（ｂ）の直前の状態に対応する。図１２（ｂ）は図１１（ｄ）の状態に対応する。図１２（ａ）の状態で、案内部材２８は、内側面部材２７に対して斜面となるテーパ３８を有している。固定部材２６は、通常、バネなどの作用により図に示すような開いた（傾いた）状態になっている。
【００４８】
図１２（ａ）の状態において、キーボード３に押されて内奥側面部材２５が図における下側に下がる。そのとき、固定部材２６の背面３６がテーパ３８に当たる。内奥側面部材２５が下側に更に下がると、固定部材２６が案内部材２８に沿って移動する。それに伴い、固定部材２６は、閉じた（立った）状態になり、溝１３の中に挿入される。この状態が図１２（ｂ）である。これにより、キーボード３が固定部材２６により内奥側面部材２５に固定される。
【００４９】
以上のように、ユーザは、キーボード３を軽く（片手で）押して行く動作だけで、キーボード３を下部空間Ｓ１へ格納することができる。
【００５０】
図９（ｂ）において、キーボード３を取り出す場合、上記説明と逆の動作となる。
すなわち、図９（ｂ）の状態において、ユーザは、キーボード３を軽く押して下部空間Ｓ１の奥へ少し進ませる。それにより、内奥側面部材２５が所定の位置に達したところで、動作スイッチ６３が第１状態から第２状態へ遷移する。ユーザが押すのを止めると、内奥側面部材２５は、動作スイッチ６３から開放され、バネのような弾性体の作用で自動的に開口部Ｐ１の方へ移動して行く。検出部５１のスイッチ５２はＯＦＦになり、検出信号５５は停止する。キーボード３は、内奥側面部材２５の移動により開口部Ｐ１の方へ押し戻される。この状態が図９（ａ）である。
【００５１】
図９（ａ）において、このときＰＣ１は、キーボード３とＰＣ１を設置した机の表面との間に、人間の手の先を入れることが可能な空間Ｓ２を形成するように設計されている。ユーザは、その空間Ｓ２に手を入れ、キーボード３を引っ張ることで、容易にキーボード３を取り出すことができる。この状態が図８（ａ）である。
【００５２】
このときも、キーボード３を挿入する場合と同様に、保護部材１１、回転体２４、保護部材２３がキーボード３を保護する。キーボード３のテーパ１２と内側面補助部材２１のテーパ２２により、キーボード３は滑らかに内側面補助部材２１上部から机上の表面へ降りる。
【００５３】
以上のように、ユーザは、キーボード３を軽く押した後に軽く（片手で）引き出す動作だけで、キーボード３を下部空間Ｓ１から取り出すことができる。
【００５４】
図１３（ａ）及び（ｂ）は、図８の動作の一部をキーボード３の下側から見た様子を示す図である。図８（ａ）から図８（ｂ）へ移行する途中の状態に対応する。ユーザがキーボード３を下部空間Ｓ１に挿入しようとするとき、キーボード３を開口部Ｐ１に正しい向きで挿入できず少しずれた方向から挿入してしまう場合がある（図１３（ａ））。その場合でも、回転体２４の弾性による復元により、図１３（ｂ）に示すような正しい向きに向かせることができる。
【００５５】
このように、キーボードの収納及び取り出しについて、キーボードの本体に傷をつけず、簡便且つ適切に実行することが可能となる。そして、ＰＣのような情報処理装置をＴＶやＤＶＤの視聴に使用する際、キーボードを一時的に容易に収納し、必要に応じて容易に取り出すことが可能となる。
【図面の簡単な説明】
【００５６】
【図１】図１は、本発明のＰＣの実施の形態の構成を示す右前方からの外観図である。
【図２】図２は、本発明のＰＣの実施の形態の構成を示す左後方からの外観図である。
【図３】図３（ａ）〜（ｃ）は、本発明のＰＣの実施の形態におけるキーボードの取り出し（収納）の動作を示す観図である。
【図４】図４は、キーボードの実施の形態の構成を示す外観図である。
【図５】図５は、ＰＣ本体の実施の形態の一部を示す外観図である。
【図６】図６（ａ）及び（ｂ）は、回転体の詳細を示す図である。
【図７】図７は、保護部材の取り付け状態を示す図である。
【図８】図８（ａ）（ｂ）は、本発明の情報処理装置の実施の形態の動作を示す模式図である。
【図９】図９（ａ）（ｂ）は、本発明の情報処理装置の実施の形態の動作を示す模式図である。
【図１０】図１０は、図９（ｂ）の場合でのキーボードとＰＣ本体との接触部分を示す図である。
【図１１】図１１（ａ）及び（ｂ）は、図８及び図９の動作の一部をキーボードの下側から見た様子を示す図である。
【図１２】図１２（ａ）及び（ｂ）は、図１１における溝近傍の様子を示す図である。
【図１３】図１３（ａ）及び（ｂ）は、図８の動作の一部をキーボードの下側から見た様子を示す図である。
【符号の説明】
【００５７】
１    パーソナルコンピュータ（ＰＣ）
２    パーソナルコンピュータ本体（ＰＣ本体）
３    キーボード
４    格納部
５    ディスプレイ
８    赤外線受光部
９    赤外線送信部
１１    保護部材
１２    テーパ
１３    溝
２１    内側面補助部材
２２    テーパ
２３    保護部材
２４    回転体
２４ａ    回転体本体
２４ｂ    板バネ
２４ｃ    回転軸
２５    内奥側面部材
２６    固定部材
２７    内側面部材
２８    案内部材
２９    上面部材
３６    背面
３８    テーパ
５１    検出部
５２    スイッチ
５３    配線
５５    検出信号
６１    第１スイッチ部材
６３    第２スイッチ部材
６４    移動保持部
【図１】
2005316829.tif 000003
【図２】
2005316829.tif 000004
【図３】
2005316829.tif 000005
【図４】
2005316829.tif 000006
【図５】
2005316829.tif 000007
【図６】
2005316829.tif 000008
【図７】
2005316829.tif 000009
【図８】
2005316829.tif 000010
【図９】
2005316829.tif 000011
【図１０】
2005316829.tif 000012
【図１１】
2005316829.tif 000013
【図１２】
2005316829.tif 000014
【図１３】
2005316829.tif 000015